(57)【要約】【課題】設定水位に対する実際の水位のばらつきが極力解消されるように、浴槽への湯はりを行うことができる給湯装置を提供する。【解決手段】浴槽ＢＴ内に、基準水量Ｗ０の湯を浴槽ＢＴ内に給湯し（ＳＴＥＰ３３，３５，３７）、浴槽ＢＴ内の残水の有無を判定する（ＳＴＥＰ４０）。この判定結果が残水無しの判定結果である場合に、浴槽ＢＴ内の水位が設定水位に一致する状態での浴槽ＢＴ内の水量から基準水量Ｗ０を差し引いた水量に一致する不足湯量Ｖｄを、水位検出部３２による水位の検出値を用いることなく決定して、当該不足湯量Ｖｄの湯を浴槽ＢＴ内に給湯する（ＳＴＥＰ４１，４２）。【選択図】図３
2019027725.tif 000002
【特許請求の範囲】
【請求項１】
浴槽内の水位が該浴槽の下部に形成された給湯口よりも高い水位となる状態で、該浴槽内の水位を検出可能な水位検出部と、
前記給湯口から前記浴槽内に給湯された湯量を検出する湯量検出部と、
前記浴槽内の水位があらかじめ可変的に設定された設定水位に達するように該浴槽内への給湯を行う湯はり運転時に、前記給湯口から前記浴槽内への給湯を制御する湯はり制御部とを備え、
前記湯はり制御部は、
初回の湯はり運転時には、前記浴槽内の水位が、該浴槽の底面から前記給湯口の上側の位置に達するまでに必要な水量である基準水量と、前記浴槽内の水量と水位との関係を規定する浴槽特性データとを、該初回の湯はり運転の実行中における前記水位検出部による水位の検出値と、前記湯量検出部による湯量の検出値とを用いて特定して記憶保持する機能を有するように構成され、
前記初回の後の湯はり運転時には、前記浴槽内に、前記基準水量以上の所定水量の湯を前記浴槽内に給湯する第１給湯制御処理と、該第１給湯制御処理の実行後に前記浴槽内の残水の有無を判定する残水判定処理とを実行し、さらに、前記第１給湯制御処理の実行後における前記残水判定処理の判定結果が残水無しの判定結果である場合に、前記浴槽内の水位が前記設定水位に一致する状態での該浴槽内の水量から前記所定水量を差し引いた水量に一致する不足湯量を、前記水位検出部による水位の検出値を用いることなく、前記浴槽特性データと前記設定水位とを用いて決定して、当該決定した不足湯量の湯を前記浴槽内に給湯する第２ａ給湯制御処理を実行し、前記第１給湯制御処理の実行後における前記残水判定処理の判定結果が残水有りの判定結果である場合に、前記第１給湯制御処理の実行後における前記浴槽内の水位から前記設定水位まで該浴槽内の水位を上昇させるのに必要な水量に一致する不足湯量を、前記浴槽特性データと、前記水位検出部による水位の検出値と、前記設定水位とを用いて決定して、当該決定した不足湯量の湯を前記浴槽内に給湯する第２ｂ給湯制御処理を実行する機能を有するように構成されていることを特徴とする給湯装置。
【請求項２】
請求項１記載の給湯装置において、
前記設定水位は、前記浴槽内の水量が前記基準水量に一致する状態での該浴槽内の水位である基準水位に対する相対水位であり、
前記湯はり制御部は、前記初回の湯はり運転時に、前記基準水量の湯を前記浴槽内に給湯したときに前記水位検出部に検出された水位の検出値を前記基準水位として記憶する機能と、前記初回の後の湯はり運転時に、前記第１給湯制御処理の実行後における前記残水判定処理の判定結果が残水無しの判定結果である場合に、該第１給湯制御処理の実行後に前記水位検出部により検出された水位の検出値に応じて前記基準水位を補正する補正処理を実行する機能とをさらに含み、該補正処理を実行した湯はり運転の後の湯はり運転時に、前記第１給湯制御処理の実行後における前記残水判定処理の判定結果が残水有の判定結果である場合に、前記第２ｂ給湯制御処理において前記補正処理による補正後の基準水位を用いて前記不足湯量を決定するように構成されていることを特徴とする給湯装置。
【請求項３】
請求項２記載の給湯装置において、
前記湯はり制御部は、前記第１給湯制御処理の実行後における前記残水判定処理において、該第１給湯制御処理の実行後に前記水位検出部により検出された水位の検出値と、前記基準水位との相違度合いに基づいて前記浴槽内の残水の有無を判定するように構成されていると共に、前記補正処理を実行した湯はり運転の後の湯はり運転時における前記残水判定処理では、前記補正処理による補正後の前記基準水位を用いるように構成されていることを特徴とする給湯装置。
【請求項４】
請求項１〜３のいずれか１項に記載の給湯装置において、
前記湯はり制御部は、前記第１給湯制御処理において、前記基準水量よりも少ない水量の湯を前記浴槽内に給湯することを、前記浴槽内へ給湯された湯量が前記所定水量に達するまでｎ回（ｎ：２以上の整数）、実行するように構成されていると共に、少なくとも（ｎ−１）回目までの各回の給湯後に、前記浴槽内に前記給湯口の高さ以上の水位の湯水が存在するか否かを判定する浴槽内水量判定処理を実行し、前記（ｎ−１）回目までのいずれの回の給湯後における前記浴槽内水量判定処理の判定結果が肯定的である場合には、前記第１給湯制御処理を中止して、前記浴槽内の水位を前記設定水位まで上昇させる第３給湯制御処理を実行するように構成されており、さらに該第３給湯制御処理では、前記浴槽内水量判定処理の実行後における前記浴槽内の水位から前記設定水位まで前記浴槽内の水位を上昇させるのに必要な水量に一致する不足湯量を、前記浴槽特性データと、前記水位検出部による水位の検出値と、前記設定水位とを用いて決定して、当該決定した不足湯量の湯を前記浴槽内に給湯するように構成されていることを特徴とする給湯装置。
【発明の詳細な説明】
【技術分野】
【０００１】
本発明は、浴槽に湯はりを行う機能を有する給湯装置に関する。
【背景技術】
【０００２】
従来、例えば特許文献１に見られるように、浴槽の湯はりを、ユーザが操作器により可変的に設定した設定水位まで自動的に行う機能を有する給湯装置が一般に知られている。この種の給湯装置による湯はり運転では、浴槽の下部の側壁に形成された給湯口よりも若干高い水位まで浴槽内に給湯し、この状態で、上記給湯口に接続された通水路に備えられた水位センサにより浴槽内の水位を検出することが行われる。そして、検出した水位から設定水位まで浴槽内の水位を上昇させるのに必要な湯量を算出し、その算出した湯量の湯を浴槽内に給湯することが行われる。
【先行技術文献】
【特許文献】
【０００３】
【特許文献１】特開平５−１１３２４５号公報
【特許文献２】特開２０００−１３０８４３号公報
【発明の概要】
【発明が解決しようとする課題】
【０００４】
浴槽内の水位を検出すべく給湯装置の通水路（給湯口に接続された通水路）に備えられる水位センサは、一般に通電特性の経時変化や、浴室の気圧状態、通水路内の水の動き等の影響で、浴槽内の湯量が一定（ひいては、水面の高さが一定）であっても、水位の検出値のばらつき（誤差）を生じやすい。
【０００５】
このため、各回の湯はり運転における設定水位が同一であっても、各回の湯はり運転において、浴槽の給湯口よりも若干高い水位まで浴槽内に給湯した後に、設定水位まで浴槽内の水位を上昇させるのに必要な湯量として、水位センサによる水位の検出値を用いて算出される湯量がばらつきを生じやすい。ひいては、各回の湯はり運転の終了後の浴槽内の水位がばらつきを生じやすい。
【０００６】
従って、このような不都合を解消することが望まれる。特に、浴槽に残水が無い状態（浴槽が空の状態）からの湯はり運転では、設定水位が同一であれば、浴槽内に給湯すべき湯量は一定の湯量となるべきであるので、上記の不都合を解消することの必要性が高い。
【０００７】
本発明はかかる背景に鑑みてなされたものであり、設定水位に対する実際の水位のばらつきが極力解消されるように、浴槽への湯はりを行うことができる給湯装置を提供することを目的とする。
【課題を解決するための手段】
【０００８】
本発明の給湯装置は、上記の目的を達成するために、浴槽内の水位が該浴槽の下部に形成された給湯口よりも高い水位となる状態で、該浴槽内の水位を検出可能な水位検出部と、
前記給湯口から前記浴槽内に給湯された湯量を検出する湯量検出部と、
前記浴槽内の水位があらかじめ可変的に設定された設定水位に達するように該浴槽内への給湯を行う湯はり運転時に、前記給湯口から前記浴槽内への給湯を制御する湯はり制御部とを備え、
前記湯はり制御部は、
初回の湯はり運転時には、前記浴槽内の水位が、該浴槽の底面から前記給湯口の上側の位置に達するまでに必要な水量である基準水量と、前記浴槽内の水量と水位との関係を規定する浴槽特性データとを、該初回の湯はり運転の実行中における前記水位検検出部による水位の検出値と、前記湯量検出部による湯量の検出値とを用いて特定して記憶保持する機能を有するように構成され、
前記初回の後の湯はり運転時には、前記浴槽内に、前記基準水量以上の所定水量の湯を前記浴槽内に給湯する第１給湯制御処理と、該第１給湯制御処理の実行後に前記浴槽内の残水の有無を判定する残水判定処理とを実行し、さらに、前記第１給湯制御処理の実行後における前記残水判定処理の判定結果が残水無しの判定結果である場合に、前記浴槽内の水位が前記設定水位に一致する状態での該浴槽内の水量から前記所定水量を差し引いた水量に一致する不足湯量を、前記水位検出部による水位の検出値を用いることなく、前記浴槽特性データと前記設定水位とを用いて決定して、当該決定した不足湯量の湯を前記浴槽内に給湯する第２ａ給湯制御処理を実行し、前記第１給湯制御処理の実行後における前記残水判定処理の判定結果が残水有りの判定結果である場合に、前記第１給湯制御処理の実行後における前記浴槽内の水位から前記設定水位まで該浴槽内の水位を上昇させるのに必要な水量に一致する不足湯量を、前記浴槽特性データと、前記水位検出部による水位の検出値と、前記設定水位とを用いて決定して、当該決定した不足湯量の湯を前記浴槽内に給湯する第２ｂ給湯制御処理を実行する機能を有するように構成されていることを特徴とする（第１発明）。
【０００９】
なお、本発明において、前記浴槽内の残水は、湯はり運転の開始時に該浴槽内に既に存在した湯水を意味する。
【００１０】
上記第１発明によれば、前記初回の後の湯はり運転時に、前記第１給湯制御処理により前記基準水量以上の所定水量の湯が前記浴槽内に給湯され、さらに、前記残水判定処理が実行される。
【００１１】
そして、残水判定処理の判定結果が残水無の判定結果である場合には、前記第２ａ給湯制御処理によって、浴槽内に設定水位までの給湯が行われ、残水判定処理の判定結果が残水有の判定結果である場合には、前記第２ｂ給湯制御処理によって、浴槽内に設定水位までの給湯が行われる。
【００１２】
この場合、残水有の場合の第２ｂ給湯制御処理では、前記不足湯量が、前記水位検出部による水位の検出値を用いて算出されるものの、残水無の場合の前記第２ａ給湯制御処理では、前記不足湯量が、前記水位検出部による水位の検出値を用いずに、算出される。
【００１３】
ここで、残水無の場合には、前記浴槽内の水位が前記設定水位に一致する状態になるまでに該浴槽内に給湯される水量は、前記浴槽特性データと前記設定水位とにより規定される。そして、残水無の場合には、第１給湯制御処理の実行後における浴槽内の水量は、前記所定水量に一致する。
【００１４】
従って、前記第２ａ給湯制御処理における前記不足湯量は、前記浴槽内の水位が前記設定水位に一致する状態での該浴槽内の水量から前記所定水量を差し引いた水量に一致するものとなる。そして、かかる不足湯量は、前記水位検出部による水位の検出値を用いることなく、前記浴槽特性データと前記設定水位とを用いて決定できる。
【００１５】
このように決定される不足湯量は、水位検出部による水位の検出値に依存しないため、該検出値の影響を受けず、設定水位に応じて規定されるものとなる。従って、残水無の場合には、設定水位が一定であれば、前記第２ａ給湯制御処理により浴槽内に給湯される不足湯量は一定となる。ひいては、初回の後の各回の湯はり運転時に残水無の場合には、前記第２ａ給湯制御処理の実行後の浴槽内の実際の水位が、設定水位に対してばらつきを生じるのが防止される。
【００１６】
よって、第１発明によれば、設定水位に対する実際の水位のばらつきが極力解消されるされるように、浴槽への湯はりを行うことができるするものとなる。
【００１７】
上記第１発明において、前記設定水位は、前記浴槽内の水量が前記基準水量に一致する状態での該浴槽内の水位である基準水位に対する相対水位である場合において、前記湯はり制御部は、前記初回の湯はり運転時に、前記基準水量の湯を前記浴槽内に給湯したときに前記水位検出部に検出された水位の検出値を前記基準水位として記憶する機能と、前記初回の後の湯はり運転時に、前記第１給湯制御処理の実行後における前記残水判定処理の判定結果が残水無しの判定結果である場合に、該第１給湯制御処理の実行後に前記水位検出部により検出された水位の検出値に応じて前記基準水位を補正する補正処理を実行する機能とをさらに含み、該補正処理を実行した湯はり運転の後の湯はり運転時に、前記第１給湯制御処理の実行後における前記残水判定処理の判定結果が残水有の判定結果である場合に、前記第２ｂ給湯制御処理において前記補正処理による補正後の基準水位を用いて前記不足湯量を決定するように構成されているという態様を採用し得る（第２発明）。
【００１８】
ここで、前記第１給湯制御処理の実行後における前記残水判定処理の判定結果が残水無しの判定結果である場合には、前記第１給湯制御処理の実行後における浴槽内の水量は、前記所定水量に一致するので、前記第１給湯制御処理の実行後における浴槽内の実際の水位は、該所定水量に対応する一定水位となる。このため、残水無の場合における各回の湯はり運転時に、第１給湯制御処理の実行後に前記水位検出部により検出される水位の検出値は、該水位検出部の特性の経時変化等に応じたものとなる。
【００１９】
従って、残水無の場合における各回の湯はり運転時に、第１給湯制御処理の実行後に前記水位検出部により検出された水位の検出値に応じて前記補正処理を実行することで、水位検出部の特性の経時変化等の影響を適切に反映させて前記基準水位を補正することができる。
【００２０】
そして、残水有の場合の湯はり運転時には、前記第２ｂ給湯制御処理において、前記補正処理による補正後の基準水位を用いて前記不足湯量を決定することで、水位検出部の特性の経時変化等の影響に起因して、該不足湯量のばらつきが生じることを抑制することが可能となる。
【００２１】
よって、第２発明によれば、残水無の場合の湯はり運転時だけでなく、残水有の場合の湯はり運転時でも、設定水位に対する実際の水位のばらつきが極力解消されるように、浴槽への湯はりを行うことが可能となる。
【００２２】
上記第２発明では、前記湯はり制御部は、前記第１給湯制御処理の実行後における前記残水判定処理において、該第１給湯制御処理の実行後に前記水位検出部により検出された水位の検出値と、前記基準水位との相違度合いに基づいて前記浴槽内の残水の有無を判定するように構成されていると共に、前記補正処理を実行した湯はり運転の後の湯はり運転時における前記残水判定処理では、前記補正処理による補正後の前記基準水位を用いるように構成されていることが好ましい（第３発明）。
【００２３】
これによれば、第１給湯制御処理の実行後に前記水位検出部により検出された水位の検出値と、前記基準水位との相違度合いに基づいて前記浴槽内の残水の有無を判定する場合に、前記補正処理による補正後の前記基準水位を用いることで、前記残水判定処理の判定結果の信頼性を高めることが可能となる。
【００２４】
上記第１〜第３発明では、前記湯はり制御部は、前記第１給湯制御処理において、前記基準水量よりも少ない水量の湯を前記浴槽内に給湯することを、前記浴槽内へ給湯された湯量が前記所定水量に達するまでｎ回（ｎ：２以上の整数）、実行するように構成されていると共に、少なくとも（ｎ−１）回目までの各回の給湯後に、前記浴槽内に前記給湯口の高さ以上の水位の湯水が存在するか否かを判定する浴槽内水量判定処理を実行し、前記（ｎ−１）回目までのいずれの回の給湯後における前記浴槽内水量判定処理の判定結果が肯定的である場合には、前記第１給湯制御処理を中止して、前記浴槽内の水位を前記設定水位まで上昇させる第３給湯制御処理を実行するように構成されており、さらに該第３給湯制御処理では、前記浴槽内水量判定処理の実行後における前記浴槽内の水位から前記設定水位まで前記浴槽内の水位を上昇させるのに必要な水量に一致する不足湯量を、前記浴槽特性データと、前記水位検出部による水位の検出値と、前記設定水位とを用いて決定して、当該決定した不足湯量の湯を前記浴槽内に給湯するように構成されているという態様を採用し得る（第４発明）。
【００２５】
これによれば、前記第１給湯制御処理の実行途中で前記浴槽内水量判定処理を実行され、その判定結果が肯定的である場合に、前記第１給湯制御処理が中止されて、前記第３給湯制御処理が実行される。
【００２６】
このため、浴槽内の残水の量が比較的大きい場合には、前記所定水量に満たない量の湯が前記浴槽内に給湯された時点で、第１給湯制御処理が中止される。浴槽内の残水の量が比較的大きい場合に、第１給湯制御処理の完遂によって浴槽内の水位が、設定水位よりも高い水位まで上昇してしまうような事態が発生するのを防止することが可能となる。
【図面の簡単な説明】
【００２７】
【図１】本発明の一実施形態の給湯装置の全体構成を示す図。
【図２】実施形態の給湯装置の制御装置により、初回の湯はり運転時に実行される制御処理を示すフローチャート。
【図３】実施形態の給湯装置の制御装置により、初回の後の湯はり運転時に実行される制御処理を示すフローチャート。
【図４】実施形態の給湯装置の制御装置により、初回の後の湯はり運転時に実行される制御処理を示すフローチャート。
【図５】図５Ａは浴槽に残水が無い場合の湯はりの態様を示す説明図、図５Ｂは浴槽に残水が有る場合の湯はりの態様を示す説明図。
【発明を実施するための形態】
【００２８】
本発明の一実施形態を図１〜図５Ｂを参照して以下に説明する。図１を参照して、本実施形態の給湯装置１は、所謂、風呂給湯装置であり、浴室及び台所等の給湯箇所への給湯を行う給湯運転を実行可能であると共に、浴室の浴槽ＢＴに湯はりを行う湯はり運転、浴槽ＢＴ内の湯を加熱する追い焚き運転、浴槽ＢＴに足し湯を行う足し湯運転等の風呂運転を実行可能である。
【００２９】
この給湯装置１は、熱源機２と、熱源機２の運転操作をユーザが行うためのリモコン３とを含む。
【００３０】
熱源機２は、該熱源機２内に水道水等の給湯用水を導入する給水路１０と、熱源機２内で加熱した給湯用水（湯）を台所、浴室等の給湯箇所に供給する給湯路１１とが接続されていると共に、浴槽ＢＴ内の湯水（以下、浴槽水という）を熱源機２との間で循環させる循環水路２０を介して浴槽ＢＴに接続されている。
【００３１】
そして、熱源機２には、給水路１０により導入される給湯用水を加熱するための熱源部を構成する第１熱交換器１２及び第１バーナ１３と、浴槽水を循環水路２０を通して循環させる循環ポンプ２１と、浴槽水を加熱するための熱源部を構成する第２熱交換器２２及び第２バーナ２３と、熱源機２の運転制御を行う機能を有する制御装置４０とが搭載されている。
【００３２】
給水路１０の上流側は、図示しない給水源に接続され、給湯路１１の下流側は、台所、浴室等に配置されたカラン等の給湯栓１１ａに接続されている。また、給湯路１１には、その下流側に供給される湯の温度（給湯温度）を検出する給湯温度センサ１８が取り付けられている。
【００３３】
第１熱交換器１２は、給水路１０から給湯路１１への給湯用水の通水が該第１熱交換器１２を介して行われるように、給水路１０と給湯路１１との間に介装されている。
【００３４】
第１バーナ１３は、例えばガスバーナであり、その燃焼熱により第１熱交換器１２を加熱する（ひいては、給水路１０から第１熱交換器１２を通って給湯路１１に流れる給湯用水を加熱する）ように配置されている。そして、該第１バーナ１３に燃料ガスを供給する第１燃料供給路１４には、該第１燃料供給路１４を開閉可能な２つ電磁弁１５，１６と、第１バーナ１３への燃料ガスの供給流量を調整する比例弁等の燃料流量制御弁１７とが上流側から順に介装されている。
【００３５】
なお、第１バーナ１３は、電磁弁１５，１６を開弁制御した状態で、図示しない点火装置を駆動することで、点火される。また、第１バーナ１３の燃焼運転時には、図示しない燃焼ファンにより該第１バーナ１３に燃焼用空気が供給される。
【００３６】
循環水路２０は、浴槽水の循環時に熱源機２側から浴槽ＢＴに浴槽水を流す往路側水路２０ａと、浴槽ＢＴ側から熱源機２に浴槽水を流す復路側水路２０ｂとにより構成される。往路側水路２０ａ及び復路側水路２０ｂのそれぞれの浴槽ＢＴ側の端部は、浴槽ＢＴの下部の側壁部に形成された給湯口ＢａにアダプタＢｂを介して接続されている。また、往路側水路２０ａ及び復路側水路２０ｂのそれぞれの熱源機２側の端部は、循環ポンプ２１の吐出口と吸入口とに各々接続されている。
【００３７】
これにより、浴槽ＢＴ内の浴槽水の水位が、浴槽ＢＴの給湯口Ｂａよりも高い水位となっている状態（換言すれば、浴槽ＢＴ内の浴槽水の水面が給湯口Ｂａの上側に位置する状態）において、循環ポンプ２１を作動させることで、浴槽ＢＴと熱源機２との間で浴槽水が循環水路２０を通って循環するようになっている。
【００３８】
第２熱交換器２２は、循環水路２０の途中で浴槽水を該第２熱交換器２２に流通させるように、該循環水路２０の途中部、例えば、往路側水路２０ａの途中部に介装されている。
【００３９】
第２バーナ２３は、例えばガスバーナであり、その燃焼熱により第２熱交換器２２を加熱する（ひいては、循環水路２０の途中で第２熱交換器２２を通って流れる浴槽水を加熱する）ように配置されている。該第２バーナ２３に燃料ガスを供給する第２燃料供給路２４は、前記第１燃料供給路１４の前記電磁弁１５，１６の間の箇所から分岐されている。そして、第２燃料供給路２４には、該第２燃料供給路２４を開閉する電磁弁２６と、第２バーナ２３への燃料ガスの供給流量を調整する比例弁等の燃料流量制御弁２７とが上流側から順に介装されている。
【００４０】
なお、第２バーナ２３は、電磁弁１５，２６を開弁制御した状態で、図示しない点火装置を駆動することで、点火される。また、第２バーナ２３の燃焼運転時には、図示しない燃焼ファンにより該第２バーナ２３に燃焼用空気が供給される。
【００４１】
また、循環水路２０には、循環水路２０内の湯水の温度を、浴槽ＢＴ内の浴槽水の温度（以降、風呂温度という）として検出する風呂温度センサ３０と、循環水路２０での通水の有無を検知する水流スイッチ３１と、浴槽ＢＴ内の水位を検出する水位検出部としての水位センサ３２とが組み付けられている。
【００４２】
本実施形態では、上記風呂温度センサ３０、水流スイッチ３１及び水位センサ３２は、例えば、第２熱交換器２２と循環ポンプ２１との間の往路側水路２０ａに組み付けられている。ただし、風呂温度センサ３０、水流スイッチ３１及び水位センサ３２のそれぞれは、復路側水路２０ｂに組み付けられていてもよい。
【００４３】
ここで、循環水路２０の往路側水路２０ａ及び復路側水路２０ｂは、浴槽ＢＴの給湯口Ｂａに接続されているので、循環ポンプ２１の作動時に、循環水路２０での通水が生じる状態は、浴槽ＢＴ内の浴槽水の水位が、給湯口Ｂａの高さ以上の水位（換言すれば、循環ポンプ２１の作動によって、浴槽ＢＴ内の浴槽水が循環水路２０の復路側水路２０ｂに流入し得る水位）となっている状態である。
【００４４】
また、循環ポンプ２１の作動時に、循環水路２０での通水が生じない状態は、浴槽ＢＴ内に浴槽水が無い状態（浴槽ＢＴが空の状態）、あるいは、浴槽ＢＴ内の浴槽水の水位が、給湯口Ｂａよりも低い水位（換言すれば、循環ポンプ２１を作動させても、浴槽ＢＴ内の浴槽水が循環水路２０の復路側水路２０ｂに流入できない水位）となっている状態である。
【００４５】
従って、循環ポンプ２１の作動時における前記水流スイッチ３１の検出出力（通水の有無を示す検出出力）に基づいて、浴槽ＢＴ内の浴槽水の水位が、給湯口Ｂａの高さ以上の水位となっているか否かを検知することが可能である。
【００４６】
また、水位センサ３２は、水圧検知型の水位センサである。このため、水位センサ３２は、浴槽ＢＴ内の浴槽水の水位が、給湯口Ｂａよりも高い水位となっている状態で、浴槽ＢＴ内の浴槽水の水位を検出することが可能である。
【００４７】
循環水路２０の途中部、例えば往路側水路２０ａの上流寄りの途中部が湯はり用水路３４を介して給湯路１１に接続されている。そして、湯はり用水路３４には、該湯はり用水路３４を開閉する電磁弁３５と、該湯はり用水路３４の通水流量を検出する水量センサ３６とが組み付けられている。
【００４８】
従って、電磁弁３５を開弁制御しつつ、第１バーナ１３の燃焼運転を行うことで、第１熱交換器１２で加熱された給湯用水（湯）を給湯路１１から湯はり用水路３４及び循環水路２０を介して浴槽ＢＴに給湯する（すなわち、浴槽ＢＴの湯はりを行う）ことができるようになっている。この場合、本実施形態では、浴槽ＢＴへの給湯は、湯はり用水路３４から循環水路２０の往路側水路２０ａ及び復路側水路２０ｂの両方を通って（所謂、両搬送で）行われる。
【００４９】
また、浴槽ＢＴの湯はり時には、水量センサ３６で検出される通水流量を積算することで、浴槽ＢＴに供給された湯量を検出することが可能である。
【００５０】
リモコン３は、熱源機２の運転等に関する各種情報を表示する表示部３ａと、複数の操作スイッチ等により構成される操作部３ｂとを含み、制御装置４０と通信し得るように該制御装置４０に有線接続されている。なお、リモコン３と制御装置４０との間の通信は、有線通信に限らず、Wi-Fi（登録商標）等による無線通信で行うようにしてもよい。
【００５１】
詳細な図示は省略するが、リモコン３の操作部３ｂには、熱源機２の起動又は運転停止を制御装置４０に対して指令するためのスイッチ、浴槽ＢＴの湯はり運転、追い焚き運転、足し湯運転等の各風呂運転の実行を制御装置４０に対して指令するためのスイッチ、給湯温度の目標値を可変的に設定するためのスイッチ、浴槽ＢＴ内の浴槽水の温度である風呂温度の目標値を可変的に設定するためのスイッチ、浴槽ＢＴ内の浴槽水の水位の目標値を可変的に設定するためのスイッチ等が含まれる。
【００５２】
ここで、リモコン３の操作部３ｂの操作によって可変的に設定し得る浴槽ＢＴ内の浴槽水の水位の目標値（以降、設定水位Ｈｓという）は、より詳しくは、次式（１）で示されるように、後述する基準水位Ｈ０を基準とする相対的な水位である。
【００５３】
Ｈｓ＝Ｈ０＋ｈｓ    ……（１）
【００５４】
この場合、図５Ａ又は図５Ｂに示す如く、上記基準水位Ｈ０は、浴槽ＢＴの給湯口Ｂａよりも若干高い水位であり、後述するように浴槽ＢＴの初回の湯はり運転時に決定されるものである。また、基準水位Ｈ０は、浴槽ＢＴの初回の後の湯はり運転時に適宜更新される。
【００５５】
そして、基準水位Ｈ０に対する設定水位Ｈｓの相対変化量ｈｓ（＝Ｈｓ−Ｈ０）が、リモコン３の操作部３ｂの操作によって可変的に設定し得る値である。この相対変化量ｈｓは、所定の範囲内（例えば５０ｍｍ〜２７０ｍｍの範囲内）において複数種類の値（例えば２０ｍｍ間隔毎の値）に可変的に設定可能である。
【００５６】
制御装置４０は、マイクロコンピュータ、メモリ、インターフェース回路等を含む電子回路ユニットにより構成されている。この制御装置４０には、リモコン３の操作部３ｂの操作情報等が該リモコン３から与えられると共に、前記給湯温度センサ１８、風呂温度センサ３０、水流スイッチ３１、水位センサ３２、水量センサ３６等の各センサの検出出力が入力される。
【００５７】
そして、制御装置４０は、実装されたハードウェア構成およびプログラム（ソフトウェア構成）によって、熱源機２の運転に関する種々の制御処理を実行する機能を有する。
【００５８】
本実施形態では、制御装置４０は、湯はり運転に関する後述の制御処理を実行する湯はり制御部４１としての機能と、湯はり運転時等に浴槽ＢＴ内に給湯された湯量を検出する湯量検出部４２としての機能とを含む。この場合、湯量検出部４２は、前記湯はり用水路３４の水量センサ３６の検出出力により示される通水流量の検出値を積算することで、浴槽ＢＴ内に給湯された湯量を検出する。
【００５９】
本実施形態の給湯装置１は、以上の如く構成されている。補足すると、本実施形態の給湯装置１の熱源機２は、燃焼式熱源としての第１バーナ１３及び第２バーナ２３を備えるものであるが、熱源機２は、燃焼式熱源の代わりに、又は燃焼式熱源に加えて、例えば、電気エネルギーを熱エネルギーに変換する電気式熱源（ヒートポンプ方式の熱源を含む）を備えていてもよい。また、給湯装置１は、リモコン３を含む複数のリモコンを備えていてもよい。
【００６０】
次に、浴槽ＢＴに湯はりを行う湯はり運転に関する制御処理を図２〜図４を参照して説明する。
【００６１】
リモコン３の操作部３ｂで、湯はり運転を実行するための操作が行われると、該リモコン３から制御装置４０に湯はり運転を実行すべき旨の指令が与えられる。
【００６２】
このとき、制御装置４０は、実行しようとする湯はり運転が、給湯装置１及び浴槽ＢＴの設置後の初回の湯はり運転である場合には、図２のフローチャートに示す制御処理を湯はり制御部４１により実行する。
【００６３】
まず、ＳＴＥＰ１において、湯はり制御部４１は、前記循環水路２０に、所謂、呼び水としての湯水を供給するために、所定湯量Ｖ１（例えば６リットル）の湯を浴槽ＢＴに湯はりする（給湯する）ように、熱源機２を作動させる。
【００６４】
具体的には、湯はり制御部４１は、湯はり用水路３４の電磁弁３５を開弁制御すると共に、第１バーナ１３の燃焼運転を開始させる。この場合、第１バーナ１３への燃料供給量（ひいては、第１バーナ１３の燃焼量）は、前記給湯温度センサ１８（又は風呂温度センサ３０）で検出される給湯温度を、リモコン３であらかじめ設定された風呂温度の目標値に一致もしくはほぼ一致させるように制御される。
【００６５】
また、ＳＴＥＰ１では、制御装置４０の湯量検出部４２は、電磁弁３５の開弁制御後に前記水量センサ３６により検出される通水流量を逐次積算し、その積算水量を、浴槽ＢＴに給湯された湯量の検出値として湯はり制御部４１に入力する。以降、このように湯量検出部４２により検出される湯量を積算給湯量という。
【００６６】
そして、湯はり制御部４１は、当該積算給湯量が、前記所定湯量Ｖ１に達したときに電磁弁３５を閉弁制御すると共に、第１バーナ１３の燃焼運転を停止させる。
【００６７】
ＳＴＥＰ１では上記の如く熱源機２の作動が制御される。これにより、所定湯量Ｖ１の湯（呼び水）が給湯路１１から湯はり用水路３４を介して循環水路２０に供給される。
【００６８】
なお、ＳＴＥＰ１で浴槽ＢＴに給湯する湯量である所定湯量Ｖ１は、小さい湯量であると共に、その多くは循環水路２０内に充填されるので、ＳＴＥＰ１の処理では、浴槽ＢＴ内の水位は実質的に変化しない。このため、以降の処理では、所定湯量Ｖ１は、浴槽ＢＴ内の湯量の計算には用いられない。
【００６９】
補足すると、ＳＴＥＰ１では、第１バーナ１３の燃焼運転を行わずに、所定湯量Ｖ１の給湯用水を循環水路２０に供給してもよい。
【００７０】
次いで、ＳＴＥＰ２において、湯はり制御部４１は、浴槽ＢＴ内に、給湯口Ｂａの高さ以上の水位の浴槽水が有るか否かを判定する処理である浴槽内水量判定処理を実行する。この浴槽内水量判定処理では、湯はり制御部４１は、循環ポンプ２１を作動させ、この状態で、水流スイッチ３１の検出出力を取得する。そして、湯はり制御部４１は、循環水路２０での通水の発生が水流スイッチ３１により継続的に検出される場合に、浴槽ＢＴ内に浴槽水が有る（詳しくは、給湯口Ｂａの高さ以上の水位の浴槽水が有る）と判定し、そうでない場合には、浴槽ＢＴ内に浴槽水が無い（詳しくは、給湯口Ｂａの高さ以上の水位の浴槽水が無い）と判定する。
【００７１】
ＳＴＥＰ２の浴槽内水量判定処理の判定結果が肯定的となる場合（浴槽水が有ると判定した場合）は、浴槽ＢＴ内に、湯はり運転の開始前に、既に、給湯口Ｂａの高さ以上の水位の浴槽水が有ったとみなし得る状況である。この場合には、湯はり制御部４１は、次に、ＳＴＥＰ２０において、前記風呂温度センサ３０により検出される現在の風呂温度が、リモコン３であらかじめ設定された目標値である設定温度以上の温度であるか否かを判断する。そして、この判断結果が肯定的である場合（風呂温度≧設定温度である場合）には、湯はり制御部４１は、湯はり運転の制御処理を終了する。
【００７２】
また、ＳＴＥＰ２０の判断結果が否定的である場合（風呂温度＜設定温度である場合）には、湯はり制御部４１は、ＳＴＥＰ２１において、浴槽ＢＴ内の浴槽水を沸き上げる沸き上げ処理を実行した後、湯はり運転の制御処理を終了する。
【００７３】
上記ＳＴＥＰ２１の沸き上げ処理では、湯はり制御部４１は、循環ポンプ２１を作動させることと、第２バーナ２３の燃焼運転とを風呂温度センサ３０により検出される風呂温度が設定温度に昇温するまで実行する。これにより、浴槽ＢＴ内の浴槽水が循環水路２０を通って循環しつつ、第２熱交換器２２で加熱され、該浴槽水が設定温度まで沸き上げられる。
【００７４】
なお、ＳＴＥＰ２の浴槽内水量判定処理の判定結果が肯定的となった場合には、次回の湯はり運転では、湯はり制御部４１は、当該次回の湯はり運転を初回の湯はり運転であるとみなして、図２のフローチャートに示す制御処理を改めて実行する。
【００７５】
ＳＴＥＰ２の浴槽内水量判定処理の判定結果が否定的である場合（浴槽ＢＴ内に浴槽水が無いと判定した場合）には、湯はり制御部４１は、次に、ＳＴＥＰ３において、所定湯量Ｖ２（例えば３０リットル）の湯を浴槽ＢＴに湯はりする（給湯する）ように熱源機２を作動させる処理を、前記ＳＴＥＰ１と同様の仕方で実行する。
【００７６】
すなわち、湯はり制御部４１は、湯はり用水路３４の電磁弁３５の開弁制御と、第１バーナ１３の燃焼運転とを、湯量検出部４２で検出される積算給湯量が所定湯量Ｖ２に達するまで実行する。これにより、加熱された所定湯量Ｖ２の湯が、給湯路１１から湯はり用水路３４及び循環水路２０を介して浴槽ＢＴに給湯される。
【００７７】
次いで、湯はり制御部４１は、ＳＴＥＰ４において、前記浴槽内水量判定処理をＳＴＥＰ２と同様に実行する。そして、このＳＴＥＰ４の浴槽内水量判定処理の判定結果が否定的である場合（浴槽水が無いと判定した場合）には、湯はり制御部４１は、ＳＴＥＰ７において、所定湯量Ｖ３（例えば１０リットル）の湯を浴槽ＢＴにさらに湯はりする（給湯する）ように熱源機２を作動させる処理を、前記ＳＴＥＰ１と同様の仕方で実行する。
【００７８】
すなわち、湯はり制御部４１は、湯はり用水路３４の電磁弁３５の開弁制御と、第１バーナ１３の燃焼運転とを、湯量検出部４２で検出される積算給湯量が所定湯量Ｖ３に達するまで実行する。これにより、加熱された所定湯量Ｖ３の湯が、給湯路１１から湯はり用水路３４及び循環水路２０を介して浴槽ＢＴにさらに給湯される。
【００７９】
そして、湯はり制御部４１は、ＳＴＥＰ７の処理に続いて、ＳＴＥＰ４からの処理を再び実行する。これにより、ＳＴＥＰ４で浴槽水が有ると判定されるまで、ＳＴＥＰ７での所定湯量Ｖ３の湯はりが繰り返される。
【００８０】
ＳＴＥＰ４で浴槽水が有ると判定されると（ＳＴＥＰ４の浴槽内水量判定処理の判定結果が肯定的になると）、湯はり制御部４１は、次に、浴槽ＢＴ内の浴槽の水位が給湯口Ｂａよりも高い水位（浴槽ＢＴ内の浴槽水の水面が給湯口Ｂａの上側の位置する状態となる水位）となる状態を確実に実現するようにするために、ＳＴＥＰ５において、所定湯量Ｖ４（例えば２０リットル）の湯を浴槽ＢＴに湯はりする（給湯する）ように熱源機２を作動させる処理を、前記ＳＴＥＰ１と同様の仕方で実行する。
【００８１】
すなわち、湯はり制御部４１は、湯はり用水路３４の電磁弁３５の開弁制御と、第１バーナ１３の燃焼運転とを、湯量検出部４２で検出される積算給湯量が所定湯量Ｖ４に達するまで実行する。これにより、加熱された所定湯量Ｖ４の湯が、給湯路１１から湯はり用水路３４及び循環水路２０を介して浴槽ＢＴにさらに給湯される。
【００８２】
次いで、湯はり制御部４１は、ＳＴＥＰ６において、前記浴槽内水量判定処理をＳＴＥＰ２と同様に実行する。
【００８３】
ここで、ＳＴＥＰ４の判定結果が既に肯定的になっているので、通常はＳＴＥＰ６の判結果は肯定的となる。ただし、例えば、浴槽ＢＴ内の浴槽水が浴槽ＢＴの排水口から漏出していたり、あるいは、湯はり運転の途中で浴槽ＢＴ内の湯の一部がユーザ等により汲み出された場合等において、ＳＴＥＰ６の判定結果が否定的となる（浴槽水が無いと判定される）場合もある。
【００８４】
この場合には、湯はり制御部４１は、ＳＴＥＰ７からの処理を再び実行する。ただし、図２での図示を省略しているが、湯はり制御部４１は、ＳＴＥＰ７の処理（所定湯量Ｖ３の湯はり）の繰り返し回数が、所定の上限回数を超えた場合（あるいは、ＳＴＥＰ３からの浴槽ＢＴへのトータルの給湯量が所定量を超えた場合）には、異常状態であるとして、湯はり運転を停止する。この場合、制御装置４０は、リモコン３の表示部３ａに異常の発生を示す情報を表示させることで、該異常の発生を報知する。
【００８５】
なお、ＳＴＥＰ６の判定結果が否定的となった場合には、ＳＴＥＰ２の判定結果が肯定的となった場合と同様に、次回の湯はり運転では、湯はり制御部４１は、当該次回の湯はり運転を初回の湯はり運転であるとみなして、図２のフローチャートに示す制御処理を改めて実行する。
【００８６】
ＳＴＥＰ６の浴槽内水量判定処理の判定結果が肯定的である場合（浴槽水が有ると判定した場合）には、湯はり制御部４１は、次にＳＴＥＰ８において、前記水位センサ３２により浴槽ＢＴ内の現在の水位Ｈｗを検出する（水位センサ３２の検出出力により示される水位検出値Ｈｗを取得する）と共に、現時点で浴槽ＢＴ内に存在する水量（以降、浴槽水量Ｗという）を算出する。
【００８７】
この場合、浴槽水量Ｗは、現時点までにＳＴＥＰ３，５，７の処理で浴槽ＢＴに給湯したトータルの湯量として算出される。例えば、ＳＴＥＰ３の処理の後におけるＳＴＥＰ７の処理の実行回数が５回、ＳＴＥＰ５の処理の実行回数が１回である場合、浴槽水量Ｗは、Ｗ＝Ｖ２＋（５・Ｖ３）＋Ｖ４として算出される。
【００８８】
次いで、ＳＴＥＰ９において、湯はり制御部４１は、ＳＴＥＰ８で取得した現在の水位Ｈｗの検出値を初回の湯はり運転における基準水位Ｈ０として記憶保持すると共に、現在の浴槽水量Ｗを、基準水量Ｗ０として記憶保持する。この場合、該基準水位Ｈ０及び基準水量Ｗ０は、不揮発性のメモリ（あるいは、定常的に電源電力が供給される揮発性メモリ）に記憶保持される。
【００８９】
ここで、上記基準水位Ｈ０は、図５Ａに示す如く、空の状態の浴槽ＢＴ内に、前記基準水量Ｗ０の浴槽水を貯めた状態での水位を意味し、その水位での浴槽ＢＴ内の浴槽水（湯）の水面が浴槽ＢＴの給湯口Ｂａよりも若干高い高さとなる水位である。
【００９０】
そして、浴槽ＢＴ内の基準水量Ｗ０の浴槽水の水位としての当該基準水位Ｈ０の高さ（浴槽ＢＴの底面からの高さ）は一定値であるものの、浴槽ＢＴ内の浴槽水の水位を検出するための水位センサ３２による水位の検出値は、該水位センサ３２の通電特性の経時変化等の影響で、浴槽ＢＴ内の浴槽水の水量が一定（ひいては、水面の高さが一定）であっても、ある程度のばらつきを生じる。
【００９１】
このため、本実施形態では、初回の湯はり運転の後の湯はり運転の実行時に、後述する如く基準水位Ｈ０を適宜、更新（補正）する。この場合、初回の湯はり運転において、上記の如くＳＴＥＰ９で決定される基準水位Ｈ０の値は、該基準水位Ｈ０の初期値に相当するものである。以降、初回の湯はり運転において、上記の如くＳＴＥＰ９で決定される基準水位Ｈ０の値を、更新後の値と区別するために、Ｈ０(初回)と表記する。
【００９２】
湯はり制御部４１は、上記の如くＳＴＥＰ９の処理を実行した後、次に、ＳＴＥＰ１０において、所定湯量Ｖ５（例えば４０リットル）の湯を浴槽ＢＴに湯はりする（給湯する）ように熱源機２を作動させる処理を、前記ＳＴＥＰ１と同様の仕方で実行する。
【００９３】
すなわち、湯はり制御部４１は、湯はり用水路３４の電磁弁３５の開弁制御と、第１バーナ１３の燃焼運転とを、湯量検出部４２で検出される積算給湯量が所定湯量Ｖ５に達するまで実行する。これにより、加熱された所定湯量Ｖ５の湯が、給湯路１１から湯はり用水路３４及び循環水路２０を介して浴槽ＢＴにさらに給湯される。
【００９４】
次いで、湯はり制御部４１は、ＳＴＥＰ１１において、前記水位センサ３２により浴槽ＢＴ内の現在の水位Ｈｗを検出し、さらに、ＳＴＥＰ１２において、基準水位Ｈ０（初回）の高さでの浴槽ＢＴの断面積としての浴槽基準断面積ＷＨを算出して、該ＷＨを不揮発性のメモリ（あるいは、定常的に電源電力が供給される揮発性メモリ）に記憶保持する。該浴槽基準断面積ＷＨは、前記所定湯量Ｖ５の値と、基準水位Ｈ０(初回)と、現在の水位Ｈｗの検出値（ＳＴＥＰ１１での検出値）とを用いて、次式（２）により算出される。
【００９５】
ＷＨ＝Ｖ５／(Ｈｗ−Ｈ０(初回))    ……（２）
【００９６】
かかる浴槽基準断面積ＷＨは、換言すれば、浴槽ＢＴ内の浴槽水の水位を、基準水位Ｈ０(初回)から単位高さだけ上昇させるのに必要な水量（体積）である。
【００９７】
次いで、ＳＴＥＰ１３において、湯はり制御部４１は、浴槽ＢＴ内の浴槽水の水位を現在の水位Ｈｗ（ＳＴＥＰ１１での検出値）から、リモコン３であらかじめ設定された設定水位Ｈｓ（＝Ｈ０(初回)＋ｈｓ）まで上昇させるのに必要な不足湯量Ｖａを算出する。
【００９８】
この不足湯量Ｖａは、基準水位Ｈ０(初回)以上の高さでの浴槽ＢＴの断面積が一定である（浴槽基準断面積ＷＨに一致する）と仮定して、暫定的に算出されるものであり、例えば、浴槽基準断面積ＷＨと、設定水位Ｈｓと、現在の水位Ｈｗ（ＳＴＥＰ１１での検出値）とを用いて、次式（３ａ）により算出される。
【００９９】
Ｖａ＝ＷＨ・(Ｈｓ−Ｈｗ)    ……（３ａ）
【０１００】
なお、不足湯量Ｖａは、浴槽基準断面積ＷＨと、設定水位Ｈｓと、基準水位Ｈ０(初回)と、ＳＴＥＰ１０で浴槽ＢＴに給湯した湯量Ｖ５とを用いて、次式（３ｂ）により算出してもよい。
【０１０１】
Ｖａ＝ＷＨ・(Ｈｓ−Ｈ０(初回))−Ｖ５    ……（３ｂ）
【０１０２】
次いで、ＳＴＥＰ１４において、湯はり制御部４１は、上記の如く算出した不足湯量Ｖａの湯を浴槽ＢＴに湯はりする（給湯する）ように熱源機２を作動させる処理を、前記ＳＴＥＰ１と同様の仕方で実行する。
【０１０３】
すなわち、湯はり制御部４１は、湯はり用水路３４の電磁弁３５の開弁制御と、第１バーナ１３の燃焼運転とを、湯量検出部４２で検出される積算給湯量が不足湯量Ｖａに達するまで実行する。これにより、加熱された不足湯量Ｖａの湯が、給湯路１１から湯はり用水路３４及び循環水路２０を介して浴槽ＢＴにさらに給湯される。
【０１０４】
次いで、湯はり制御部４１は、ＳＴＥＰ１５において、前記水位センサ３２により浴槽ＢＴ内の現在の水位Ｈｗを検出し、さらに、ＳＴＥＰ１６において、浴槽ＢＴの断面積の単位高さあたりの増加量としての浴槽断面積増加率ΔＷＨを算出して、該ΔＷＨを不揮発性のメモリ（あるいは、定常的に電源電力が供給される揮発性メモリ）に記憶保持する。該浴槽断面積増加率ΔＷＨは、基準水位Ｈ０(初回)以上の高さで一定であるとみなして、例えば次式（４）により算出される。
【０１０５】
ΔＷＨ＝２・ＷＨ・(Ｈｓ−Ｈｗ)／(Ｈｗ−Ｈ０(初回))2    ……（４）
【０１０６】
式（４）におけるＨｗは、ＳＴＥＰ１５での検出値（現在の水位Ｈｗの検出値）である。なお、浴槽ＢＴの断面積が基準水位Ｈ０(初回)以上の高さで一定である場合には、設定水位Ｈｓと現在の水位Ｈｗとが等しくなるため、ΔＷＨ＝０となる。
【０１０７】
次いで、ＳＴＥＰ１７において、湯はり制御部４１は、現在の水位Ｈｗの検出値（ＳＴＥＰ１５での検出値）が、設定水位Ｈｓよりも低いか否かを判断する。この判断結果が否定的である場合（Ｈｗ≧Ｈｓである場合）には、湯はり制御部４１は、前記したＳＴＥＰ２０からの処理を実行して、初回の湯はり運転を終了する。
【０１０８】
また、ＳＴＥＰ１７の判断結果が肯定的である場合には、湯はり制御部４１は、次に、ＳＴＥＰ１８において、浴槽水の水位を現在の水位Ｈｗから設定水位Ｈｓまで上昇させるのに必要な不足湯量Ｖｂを、現在の水位Ｈｗの検出値（ここでは、ＳＴＥＰ１５での検出値）と、前記の如く算出した浴槽基準断面積ＷＨ及び浴槽断面積増加率ΔＷＨとを用いて算出する。該不足湯量Ｖｂは、例えば次式（５ａ），（５ｂ）により算出される。
【０１０９】
Ｖｂ＝(Ｈｓ−Ｈｗ)・（平均断面積）    ……（５ａ）
ただし、
（平均断面積）
＝ＷＨ＋(((Ｈｓ−Ｈｗ)／２＋(Ｈｗ−Ｈ０(初回)))・ΔＷＨ)
……（５ｂ）
【０１１０】
なお、上記（平均断面積）は、現在の水位Ｈｗと、設定水位Ｈｓとの間の高さ範囲での浴槽ＢＴの平均断面積である。また、設定水位Ｈｓは、前記式（１）の右辺における基準水位Ｈ０の値として、Ｈ０(初回)を用いて決定される設定水位（＝Ｈ０(初回)＋ｈｓ）である。
【０１１１】
次いで、ＳＴＥＰ１９において、湯はり制御部４１は、上記の如く算出した不足湯量Ｖｂの湯を浴槽ＢＴに湯はりする（給湯する）ように熱源機２を作動させる処理を、前記ＳＴＥＰ１と同様の仕方で実行する。
【０１１２】
すなわち、湯はり制御部４１は、湯はり用水路３４の電磁弁３５の開弁制御と、第１バーナ１３の燃焼運転とを、湯量検出部４２で検出される積算給湯量が不足湯量Ｖｂに達するまで実行する。これにより、加熱された不足湯量Ｖｂの湯が、給湯路１１から湯はり用水路３４及び循環水路２０を介して浴槽ＢＴにさらに給湯される。
【０１１３】
次いで、湯はり制御部４１は、前記したＳＴＥＰ２０からの処理を実行して、初回の湯はり運転を終了する。
【０１１４】
以上の如く、初回の湯はり運転では、ＳＴＥＰ２で浴槽水が有ると判定される場合を除いて、浴槽ＢＴ内の浴槽水の水位が設定水位Ｈｓに達するように浴槽ＢＴの湯はりが行われると共に、浴槽ＢＴの給湯口Ｂａよりも若干高い水位としての基準水位Ｈ０(初回)と、該基準水位Ｈ０(初回)での浴槽ＢＴ内の水量としての基準水量Ｗ０と、基準水位Ｈ０(初回)での浴槽ＢＴの断面積としての浴槽基準断面積ＷＨと、単位高さ当たりの浴槽ＢＴの断面積の増加量としての浴槽断面積増加率ΔＷＨとが特定される。
【０１１５】
この場合、本実施形態では、浴槽基準断面積ＷＨ及び浴槽断面積増加率ΔＷＨが、本発明における浴槽特性データである。
【０１１６】
次に、初回の湯はり運転を上記の如く実行した後の各回の湯はり運転を説明する。初回の湯はり運転（ＳＴＥＰ２の判定結果が肯定的となるか、又はＳＴＥＰ６の判定結果が否定的となった湯はり運転を除く）が終了した後、湯はり運転の実行が新たに指示された場合には、制御装置４０の湯はり制御部４１は、図３及び図４のフローチャートに示す制御処理を実行する。
【０１１７】
まず、ＳＴＥＰ３１において、湯はり制御部４１は、呼び水としての所定湯量Ｖ１（例えば６リットル）の湯を浴槽ＢＴに湯はりする（給湯する）ように、熱源機２を作動させる。このＳＴＥＰ３１の処理は、初回の湯はり運転におけるＳＴＥＰ１の処理と同じである。
【０１１８】
次いで、ＳＴＥＰ３２において、湯はり制御部４１は、前記浴槽内水量判定処理を初回の湯はり運転における前記ＳＴＥＰ２と同様に実行する。
【０１１９】
このＳＴＥＰ３２の浴槽内水量判定処理の判定結果が否定的である場合（浴槽水が無いと判定した場合）には、湯はり制御部４１は、初回の湯はり運転で特定した前記基準水量Ｗ０の湯をｎ回に分けて（例えば３回に分けて）、浴槽ＢＴに湯はり（給湯）するように熱源機２を作動させるとと共に、当該ｎ回のそれぞれの給湯の完了毎に、前記浴槽内水量判定処理を実行する。
【０１２０】
より詳しくは、ＳＴＥＰ３３において、湯はり制御部４１は、基準水量Ｗ０の１／３の水量Ｗ０／３の湯を浴槽ＢＴに湯はり（給湯）するように熱源機２を作動させる処理を前記ＳＴＥＰ１と同様の仕方で実行する。
【０１２１】
すなわち、湯はり制御部４１は、湯はり用水路３４の電磁弁３５の開弁制御と、第１バーナ１３の燃焼運転とを、湯量検出部４２で検出される積算給湯量がＷ０／３の水量に達するまで実行する。
【０１２２】
そして、湯はり制御部４１は、ＳＴＥＰ３４において、浴槽内水量判定処理を実行し、この浴槽内水量判定処理の判定結果が否定的である場合（浴槽水が無いと判定した場合）には、ＳＴＥＰ３３，３４と同じ処理をＳＴＥＰ３５，３６で再び実行する。さらに、ＳＴＥＰ３６の浴槽内水量判定処理の判定結果が否定的である場合（浴槽水が無いと判定した場合）には、ＳＴＥＰ３３，３４と同じ処理をＳＴＥＰ３７，３８で再び実行する。
【０１２３】
ここで、今回の湯はり運転の開始時に、浴槽ＢＴが空になっている場合（浴槽ＢＴ内に浴槽水が存在していない場合）には、ＳＴＥＰ３３，３５，３７の処理が順次実行されることで、浴槽ＢＴ内には、基準水量Ｗ０の湯が湯はりされる。
【０１２４】
一方、今回の湯はり運転の開始時に、浴槽ＢＴ内に、前回の入浴時の残り湯等の残水が存在しており、その残水量が、ＳＴＥＰ３３，３５，３７のそれぞれでの浴槽ＢＴへの給湯量であるＷ０／３の水量よりも多い場合には、ＳＴＥＰ３２，３４，３６のいずれかの浴槽内水量判定処理の判定結果が肯定的になる。
【０１２５】
この場合には、湯はり制御部４１は、図４のＳＴＥＰ５１からの処理を実行する。ＳＴＥＰ５１では、湯はり制御部４１は、風呂温度センサ３０により検出される現在の風呂温度が、設定温度（目標値）よりも所定値α（例えば３℃）だけ低い温度より低いか否かを判断する。
【０１２６】
浴槽ＢＴ内に存在していた残水が冷えていると、ＳＴＥＰ５１の判断結果が肯定的になる。この場合には、湯はり制御部４１は、ＳＴＥＰ５２において、風呂温度を設定温度まで昇温させる沸き上げ処理を前記ＳＴＥＰ２１と同様に実行しつつ、ＳＴＥＰ５３において、風呂温度センサ３０により検出される風呂温度が設定温度に達したか否かを判断する。
【０１２７】
ＳＴＥＰ５３の判断結果が肯定的になると、湯はり制御部４１は、沸き上げ処理を終了して、ＳＴＥＰ５４からの処理を実行する。また、ＳＴＥＰ５１の判断結果が否定的である場合も、湯はり制御部４１は、ＳＴＥＰ５４からの処理を実行する。ＳＴＥＰ５４では、湯はり制御部４１は、水位センサ３２により浴槽ＢＴ内の浴槽水の現在の水位Ｈｗを検出し、さらにＳＴＥＰ５５において、浴槽ＢＴ内の水位を現在の水位Ｈｗから設定水位Ｈｓまで上昇させるのに必要な不足湯量Ｖｃを算出する。
【０１２８】
この場合、不足湯量Ｖｃは、現在の水位Ｈｗの検出値（ここでは、ＳＴＥＰ５４での検出値）と、前記浴槽基準断面積ＷＨと、浴槽断面積増加率ΔＷＨとを用いて、前記式（５ａ），（５ｂ）と同様の形式の次式（６ａ），（６ｂ）により算出される。
【０１２９】
Ｖｃ＝(Ｈｓ−Ｈｗ)・（平均断面積）    ……（６ａ）
ただし、
（平均断面積）
＝ＷＨ＋((Ｈｓ−Ｈｗ)／２＋(Ｈｗ−Ｈ０)・ΔＷＨ)
……（６ｂ）
【０１３０】
この場合、式（６ｂ）におけるＨ０は、後述する処理により適宜更新される基準水位Ｈ０の最新値であり、一般にはＨ０(初回)と相違する。また、式（６ａ），（６ｂ）における設定水位Ｈｓは，基準水位Ｈ０の最新値を用いて、前記式（１）により決定される設定水位である。
【０１３１】
次いで、ＳＴＥＰ５６において、湯はり制御部４１は、上記の如く算出した不足湯量Ｖｃの湯を浴槽ＢＴに湯はりする（給湯する）ように熱源機２を作動させる処理を、前記ＳＴＥＰ１と同様の仕方で実行する。
【０１３２】
すなわち、湯はり制御部４１は、湯はり用水路３４の電磁弁３５の開弁制御と、第１バーナ１３の燃焼運転とを、湯量検出部４２で検出される積算給湯量が不足湯量Ｖｃに達するまで実行する。これにより、加熱された不足湯量Ｖｃの湯が、給湯路１１から湯はり用水路３４及び循環水路２０を介して浴槽ＢＴにさらに給湯される。
【０１３３】
なお、上記ＳＴＥＰ５５，５６の処理の全体は、本発明における第３給湯制御処理に相当する。
【０１３４】
次いで、湯はり制御部４１は、ＳＴＥＰ４３において、風呂温度センサ３０により検出される現在の風呂温度が、設定温度以上の温度であるか否かを判断し、その判断結果が肯定的である場合（風呂温度≧設定温度である場合）には、湯はり運転の制御処理を終了する。
【０１３５】
また、ＳＴＥＰ４３の判断結果が否定的である場合（風呂温度＜設定温度である場合）には、湯はり制御部４１は、ＳＴＥ４４において、浴槽ＢＴ内の浴槽水を沸き上げる沸き上げ処理を前記ＳＴＥＰ２１と同様に実行した後、湯はり運転の制御処理を終了する。
【０１３６】
次に、今回の湯はり運転において、ＳＴＥＰ３２〜３７の処理を経て、ＳＴＥＰ３８の浴槽内水量判定処理の判定結果が肯定的となった場合の処理を説明する。
【０１３７】
今回の湯はり運転の開始時に、浴槽ＢＴ内に残水が存在していない場合、あるいは、該残水が存在していても、その残水量が、ＳＴＥＰ３３，３５，３７のそれぞれでの浴槽ＢＴへの給湯量であるＷ０／３の湯量よりも少ない場合には、浴槽ＢＴ内の浴槽水の漏水がある場合等を除いて、基本的には、ＳＴＥＰ３２，３４，３６のそれぞれの浴槽内水量判定処理の判定結果が否定的になると共に、ＳＴＥＰ３８の浴槽内水量判定処理の判定結果が肯定的になる。なお、この場合のＳＴＥＰ３３，３５、３７の処理の全体は、本発明における第１給湯制御処理に相当する。
【０１３８】
この場合には、湯はり制御部４１は、ＳＴＥＰ３９からの処理を実行する。ＳＴＥＰ３９では、湯はり制御部４１は、水位センサ３２により浴槽ＢＴ内の現在の水位Ｈｗを検出する。なお、このＳＴＥＰ３９での水位Ｈｗの検出値は、基準水位Ｈ０の更新処理のために、不揮発性のメモリ（あるいは、定常的に電源電力が供給される揮発性メモリ）に記憶保持される。
【０１３９】
そして、湯はり制御部４１は、ＳＴＥＰ４０において、現在の水位Ｈｗの検出値が、基準水位Ｈ０（最新値）に所定値ε（例えば、２０ｍｍ）を加算してなる値以下であるか否かを判断する。このＳＴＥＰ４０の処理は、本発明における残水判定処理に相当する処理である。
【０１４０】
この場合、今回の湯はり運転の開始時に、浴槽ＢＴ内に残水が存在していないか、もしくは、残水量が十分に微小である場合には、ＳＴＥＰ４０の判断結果が肯定的になる（Ｈｗ≦Ｈ０＋εとなる）ように、水位センサ３２による水位の検出値の誤差等を考慮して、上記所定値εの値があらかじめ設定されている。
【０１４１】
そして、ＳＴＥＰ４０の判断結果が肯定的になる場合（残水無と判定される場合）には、湯はり制御部４１は、ＳＴＥＰ４１において、基準水位Ｈ０の値を更新（補正）する処理（これは、本発明における補正処理に相当する）を実行する。この処理では、湯はり制御部４１は、今回の湯はり運転におけるＳＴＥＰ３９での水位Ｈｗの検出値Ｈｗ(今回)と、前回の湯はり運転（詳しくは、ＳＴＥＰ３９からの処理が実行された前回以前の湯はり運転）におけるＳＴＥＰ３９での水位Ｈｗの検出値Ｈｗ(前回)とを用いて、次式（７）により基準水位Ｈ０を更新（補正）する。
【０１４２】
Ｈ０(更新後)＝Ｈ０(更新前)＋（Ｈｗ(今回)−Ｈｗ(前回)）    ……（７）
【０１４３】
ただし、基準水位Ｈ０の更新量（補正量）の絶対値は、所定値ΔＨ０_LIM（例えば１０ｍｍ）以下の値に制限され、（Ｈｗ(今回)−Ｈｗ(前回)）＜−ΔＨ０_LIMである場合、あるいは、（Ｈｗ(今回)−Ｈｗ(前回)）＞ΔＨ０_LIMである場合には、それぞれ、式（７）の右辺の第２項の値を−ΔＨ０_LIM、Ｈ０_LIMとして、基準水位Ｈ０の値が更新される。
【０１４４】
さらに、ＳＴＥＰ４１では、湯はり制御部４１は、現在の水位Ｈｗが初回の湯はり運転時に決定した基準水位Ｈ０(初回)に一致するとみなして、該基準水位Ｈ０(初回)に一致する水位から設定水位Ｈｓまで浴槽ＢＴ内の浴槽水の水位を上昇させるために必要な不足湯量Ｖｄを算出する。
【０１４５】
ここで、ＳＴＥＰ４０の判断結果が肯定的となる場合（残水無の場合）、現時点（ＳＴＥＰ４１の処理の実行時点）での浴槽ＢＴ内の湯量は、基準水量Ｗ０に一致もしくはほぼ一致するので、浴槽ＢＴ内の浴槽水（湯）の現在の実際の水位は、初回の湯はり運転時に決定した基準水位Ｈ０(初回)に一致するとみなし得る。
【０１４６】
従って、浴槽ＢＴ内の現在の水位から設定水位までの不足湯量は、基準水位Ｈ０(初回)に一致する水位から設定水位Ｈｓまで浴槽ＢＴ内の浴槽水の水位を上昇させるために必要な不足湯量Ｖｄに一致するとみなし得る。そして、該不足湯量Ｖｄは、次式（８ａ），（８ｂ）により算出される。
【０１４７】
Ｖｄ＝ｈｓ・（平均断面積）    ……（８ａ）
ただし、
（平均断面積）＝ＷＨ＋((ｈｓ／２)・ΔＷＨ)    ……（８ｂ）
【０１４８】
なお、上記（平均断面積）は、基準水位Ｈ０と設定水位Ｈｓとの間の高さ範囲での浴槽ＢＴの平均断面積である。
【０１４９】
上記式（８ａ），（８ｂ）は、前記式（６ａ），（６ｂ）におけるＨｓをＨ０(初回)を基準として表した設定水位（＝Ｈ０(初回)＋ｈｓ）とし、且つ、現在水位ＨｗをＨ０(初回)に一致させることによって得られる式である。従って、（８ａ），（８ｂ）によって、現在の水位Ｈｗが初回の湯はり運転時に決定した基準水位Ｈ０(初回)に一致するとみなして、該基準水位Ｈ０(初回)に一致する水位から設定水位Ｈｓまで浴槽ＢＴ内の浴槽水の水位を上昇させるために必要な不足湯量Ｖｄが算出されることとなる。
【０１５０】
このように算出される不足湯量Ｖｄは、換言すれば、浴槽ＢＴ内の水位が設定水位に一致する状態での該浴槽ＢＴ内のトータルの湯量（＝Ｗ０＋Ｖｄ）から、現時点まで浴槽ＢＴに給湯した湯量としての前記基準水量Ｗ０を差し引いた湯量であり、水位センサ３２による水位の検出値を用いずに、算出されるものである。
【０１５１】
次いで、ＳＴＥＰ４２において、湯はり制御部４１は、上記の如く算出した不足湯量Ｖｄの湯を浴槽ＢＴに湯はりする（給湯する）ように熱源機２を作動させる処理を、前記ＳＴＥＰ１と同様の仕方で実行する。
【０１５２】
すなわち、湯はり制御部４１は、湯はり用水路３４の電磁弁３５の開弁制御と、第１バーナ１３の燃焼運転とを、湯量検出部４２で検出される積算給湯量が不足湯量Ｖｄに達するまで実行する。これにより、浴槽ＢＴへの設定水位Ｈｓ（＝Ｈ０(初回)＋ｈｓ）までの湯はり（給湯）が完了する。
【０１５３】
この場合、浴槽ＢＴ内のトータルの湯量は、基準水量Ｗ０と上記不足湯量Ｖｄとの総和の湯量（＝Ｗ０＋Ｖｄ）に一致もしくはほぼ一致するものとなり、当該トータルの湯量は、水位センサ３２による水位の検出値に依存しない。従って、浴槽ＢＴへの湯はりの完了後の実際の水位のばらつきが生じるのを防止できる。
【０１５４】
なお、上記ＳＴＥＰ４１，４２の処理の全体は、本発明における第２ａ給湯制御処理に相当する。
【０１５５】
次いで、湯はり制御部４１は、前記したＳＴＥＰ４３からの処理を実行して、今回の湯はり運転を終了する。
【０１５６】
一方、ＳＴＥＰ４０の判断結果が否定的となる状況は、今回の湯はり運転の開始時に、浴槽ＢＴ内に残水（Ｗ０／３よりも少ない量の残水）が存在していた場合（残水有の場合）の状況である。この場合には、湯はり制御部４１は、浴槽ＢＴ内の水位を現在の水位Ｈｗから設定水位Ｈｓまで上昇させるのに必要な不足湯量Ｖｃを、前記ＳＴＥＰ５５に関して説明した前記式（６ａ），（６ｂ）により算出する。
【０１５７】
この場合、式（６ａ），（６ｂ）における現在の水位Ｈｗの値は、ＳＴＥＰ３９での検出値である。また、式（６ａ），（６ｂ）における設定水位Ｈｓは，基準水位Ｈ０の最新値を用いて、前記式（１）により決定される設定水位である。
【０１５８】
そして、湯はり制御部４１は、ＳＴＥＰ４５で算出した不足湯量Ｖｃの湯を浴槽ＢＴに湯はりする（給湯する）ように熱源機２を作動させる処理を、前記ＳＴＥＰ１と同様の仕方で実行する。
【０１５９】
すなわち、湯はり制御部４１は、湯はり用水路３４の電磁弁３５の開弁制御と、第１バーナ１３の燃焼運転とを、湯量検出部４２で検出される積算給湯量が不足湯量Ｖｃに達するまで実行する。これにより、浴槽ＢＴへの設定水位Ｈｓ（＝Ｈ０＋ｈｓ）までの湯はり（給湯）が完了する。
【０１６０】
次いで、湯はり制御部４１は、前記したＳＴＥＰ４３からの処理を実行して、今回の湯はり運転を終了する。
【０１６１】
なお、上記ＳＴＥＰ４５，４６の処理の全体は、本発明における第２ｂ給湯制御処理に相当する。
【０１６２】
次に、今回の湯はり運転において、ＳＴＥＰ３２〜３７の処理を経て、ＳＴＥＰ３８の浴槽内水量判定処理の判定結果が否定的となった場合の処理を説明する。
【０１６３】
例えば、今回の湯はり運転中に浴槽ＢＴ内の浴槽水の漏水（排水口等からの漏水）が生じていたり、あるいは、湯はり運転の途中で浴槽ＢＴ内の浴槽水の一部がユーザ等により汲み取られた場合等において、ＳＴＥＰ３８の浴槽内水量判定処理の判定結果が否定的になり得る。この場合には、湯はり制御部４１は、次に、ＳＴＥＰ４７において、所定湯量Ｖ６（例えば１０リットル）の湯を浴槽ＢＴに湯はりする（給湯する）ように熱源機２を作動させる処理を、前記ＳＴＥＰ１と同様の仕方で実行する。
【０１６４】
すなわち、湯はり制御部４１は、湯はり用水路３４の電磁弁３５の開弁制御と、第１バーナ１３の燃焼運転とを、湯量検出部４２で検出される積算給湯量が所定湯量Ｖ６に達するまで実行する。
【０１６５】
次いで、湯はり制御部４１は、ＳＴＥＰ４８において、前記浴槽内水量判定処理を実行し、この浴槽内水量判定処理の判定結果が肯定的となった場合（浴槽水が有ると判定した場合）には、ＳＴＥＰ５７で、水位センサ３２により浴槽ＢＴ内の現在の水位Ｈｗを検出した後、前記したＳＴＥＰ４５からの処理（設定水位Ｈｓまでの不足湯量Ｖｃの算出及び湯はり等）を実行して、今回の湯はり運転を終了する。
【０１６６】
また、ＳＴＥＰ４８の判定結果が否定的である場合（浴槽水が無いと判定した場合）には、湯はり制御部４１は、ＳＴＥＰ４９において、前記所定湯量Ｖ６の湯を浴槽ＢＴに湯はり（給湯）した回数（ＳＴＥＰ４７の処理の実行回数）が、所定の上限値Ｎthに達したか否かを判断する。そして、この判断結果が否定的である場合には、湯はり制御部４１はＳＴＥＰ４７からの処理を再び実行する。
【０１６７】
また、ＳＴＥＰ４９の判断結果が肯定的になると、ＳＴＥＰ５０において、湯はり制御部４１は、異常（エラー）が発生したものとして、今回の湯はり運転の処理を停止する。なお、この場合、異常が発生した旨がリモコン３の表示部３ａ等で報知される。
【０１６８】
以上説明した実施形態によれば、初回の後の湯はり運転において、基準水量Ｗ０の湯を浴槽ＢＴ内に給湯した後のＳＴＥＰ４０において、残水無と判定される場合には、前記式（８ａ），（８ｂ）により水位の検出値を用いずに算出した不足湯量Ｖｄを浴槽ＢＴ内に給湯することで、図５Ａに示す如き態様で、浴槽ＢＴへの湯はりが行われる。
【０１６９】
これにより、湯はり運転の終了後の浴槽ＢＴ内の実際の水位が、設定水位Ｈｓに対応した水位となり、該設定水位Ｈｓに対してばらつきを生じるのを適切に防止することができる。
【０１７０】
また、初回の後の湯はり運転において、基準水量Ｗ０の湯を浴槽ＢＴ内に給湯した後のＳＴＥＰ４０において、残水有と判定される場合、あるいは、残水の存在によって、前記ＳＴＥＰ３２，３４，３６のいずれかの判定結果が肯定的となった場合（浴槽水が有ると判定された場合）には、残水無と判定された湯はり運転時に更新（補正）された基準水位Ｈ０の最新値を用いて、前記式（６ａ），（６ｂ）により算出した不足湯量Ｖｃが浴槽ＢＴ内に給湯される。従って、図５Ｂに示す如き態様で、浴槽ＢＴへの湯はりが行われる。
【０１７１】
これにより、水位センサ３２による水位の検出値のばらつきの影響が低減され、湯はり運転の終了後の浴槽ＢＴ内の実際の水位が、設定水位Ｈｓに対してばらつきを生じるのを抑制することができる。
【０１７２】
なお、本発明は、以上説明した実施形態に限定されるものではない。以下に、他の実施形態をいくつか説明する。
【０１７３】
前記実施形態では、本発明における第１給湯制御処理に相当するＳＴＥＰ３３，３５，３７の処理の全体によって浴槽ＢＴ内に給湯する湯量を、基準水量Ｗ０に一致させた。ただし、前記ＳＴＥＰ３９の処理の前までに浴槽ＢＴに給湯する湯量を、基準水量Ｗ０に所定量ΔＶを付加した所定水量（Ｗ０＋ΔＶ）として、該所定水量（Ｗ０＋ΔＶ）による浴槽ＢＴの水位が給湯口Ｂａよりも確実に高い水位となるようにしてもよい。このようにすると、ＳＴＥＰ３９で検出される水位Ｈｗの検出値の安定性が高まる。この結果、ＳＴＥＰ４０で残水有と判定される場合に、ＳＴＥＰ４５で算出される不足湯量Ｖｂの信頼性を高めることができる。あるいは、ＳＴＥＰ４０で残水無と判定される場合に、ＳＴＥＰ４１での基準水位Ｈ０の更新（補正）の信頼性を高めることができる。
【０１７４】
なお、この場合、ＳＴＥＰ４０で残水無と判定される場合における不足湯量Ｖｄは、前記式（８ａ），（８ｂ）により算出される値から、上記所定量ΔＶを差し引いた湯量として算出することができる。
【０１７５】
また、例えば、前記実施形態におけるＳＴＥＰ３２の浴槽水判定処理の判定結果が否定的である場合に、前記ＳＴＥＰ３４，３６の処理を省略して、前記基準水量Ｗ０（又は前記所定水量（Ｗ０＋ΔＶ））の湯を一度に浴槽ＢＴに給湯するようにしてもよい。
【０１７６】
ただし、浴槽ＢＴの残水量が比較的大きい場合（例えば、該残水量の水位が給湯口Ｂａの高さに近い場合）に、前記基準水量Ｗ０（又は前記所定水量（Ｗ０＋ΔＶ））の湯を一度に浴槽ＢＴに給湯すると、該給湯後の水位が設定水位Ｈｓを超えてしまう可能性がある場合には、前記基準水量Ｗ０（又は前記所定水量（Ｗ０＋ΔＶ））の湯を前記実施形態の如く、複数回に分けて浴槽ＢＴに給湯することが望ましい。
【符号の説明】
【０１７７】
１…給湯装置、３２…水位センサ（水位検出部）、４１…湯はり制御部、４２…湯量検出部。
【図１】
2019027725.tif 000003
【図２】
2019027725.tif 000004
【図３】
2019027725.tif 000005
【図４】
2019027725.tif 000006
【図５】
2019027725.tif 000007